【手続補正書】
【提出日】令和1年9月3日(2019.9.3)
【手続補正１】
【補正対象書類名】特許請求の範囲
【補正対象項目名】全文
【補正方法】変更
【補正の内容】
【特許請求の範囲】
【請求項１】
撮像装置に着脱可能に装着される交換レンズ装置であって、
前記撮像装置と通信する第１の通信手段と、
振れによる画像の像振れを補正する補正レンズと、
前記補正レンズを制御する制御手段と、を備えるレンズ装置であって、
前記第１の通信手段は前記撮像装置から、
第１の通信にて、基準時間を示す情報を受信し、
第２の通信にて、相対時間を示す情報を受信し、
前記制御手段は、前記基準時間および前記相対時間により決定されるタイミングに基づいて前記補正レンズを制御することを特徴とするレンズ装置。
【請求項２】
前記第１の通信手段は前記撮像装置へ、
第３の通信にて、前記基準時間と前記相対時間の情報とに基づく情報を送信することを特徴とする請求項１に記載のレンズ装置。
【請求項３】
前記基準時間と前記相対時間との情報に基づいて決定されるタイミングに対応して前記振れの情報を取得する振れ検出手段を備えることを特徴とする請求項２に記載のレンズ装置。
【請求項４】
前記基準時間と前記相対時間との情報に基づいて決定されるタイミングに対応して前記振れの情報を取得する振れ検出手段を備え、
前記第１の通信手段は、前記振れの情報が取得された後に前記第３の通信を行うことを特徴とする請求項３に記載のレンズ装置。
【請求項５】
前記第1の通信手段は、前記第３の通信にて、前記撮像装置の振れの情報に基づく情報を前記撮像装置へ送信することを特徴とする請求項４項に記載のレンズ装置。
【請求項６】
撮像装置に着脱可能に装着される交換レンズ装置であって、
前記撮像装置と通信する第１の通信手段と、
振れの情報を取得する振れ検出手段と、を備えるレンズ装置であって、
前記第１の通信手段は前記撮像装置から、
第１の通信にて、基準時間を示す情報を受信し、
第２の通信にて、相対時間を示す情報を受信し、
前記第1の通信手段は前記撮像装置へ、
第3の通信にて、前記基準時間および前記相対時間により決定されるタイミングに基づいて取得された前記振れの情報を前記撮像装置へ送信することを特徴とするレンズ装置。
【請求項７】
前記基準時間は、垂直同期信号のタイミングと同期しているタイミングであることを特徴とする請求項１から６のいずれか1項に記載のレンズ装置。
【請求項８】
前記第１の通信手段は、前記撮像装置が備える撮像手段の露光期間が決定された後に前記第２の通信により前記相対時間の情報を取得することを特徴とする請求項１から７のいずれか1項に記載のレンズ装置。
【請求項９】
前記相対時間の情報は、前記撮像装置が備える撮像手段の露光重心を示す情報であることを特徴とする請求項１から８のいずれか１項に記載のレンズ装置。
【請求項１０】
前記制御手段は、前記撮像装置が備える画像の歪みを補正する補正手段の補正量を算出し、
前記第1の通信手段は、算出した前記補正量を前記撮像装置へ送信することを特徴とする請求項１から９のいずれか１項に記載のレンズ装置。
【請求項１１】
前記第１の通信手段は前記撮像装置から前記第２の通信にて補正点間の差分時間の情報を受信し、
前記制御手段は、前記補正点での画像の歪みの補正量を算出することを特徴とする請求項１０に記載のレンズ装置。
【請求項１２】
装着された交換レンズ装置との通信を行う撮像装置であって、
撮像手段と、
前記交換レンズ装置と通信する第２の通信手段と、前記撮像手段の露光タイミングを設定する設定手段と、を備え、
前記第２の通信手段は前記交換レンズ装置に対し、
第１の通信にて、基準時間を示す情報を送信し、
第２の通信にて、前記露光タイミングと前記基準時間とに基づく相対時間を示す情報を送信することを特徴とする撮像装置。
【請求項１３】
前記基準時間は、垂直同期信号のタイミングと同期しているタイミングであることを特徴とする請求項１２に記載の撮像装置。
【請求項１４】
前記第２の通信は、前記撮像手段の露光時間が決定された後に行われることを特徴とする請求項１２または１３に記載の撮像装置。
【請求項１５】
前記相対時間を示す情報は、前記露光時間に基づいて決定されることを特徴とする請求項１４に記載の撮像装置。
【請求項１６】
前記相対時間の情報は、前記撮像手段の露光重心を示す情報であることを特徴とする請求項１５に記載の撮像装置。
【請求項１７】
画像の像振れを補正する像振れ補正手段および該像振れ補正手段を制御する制御手段を備えることを特徴とする請求項１２から１６のいずれか１項に記載の撮像装置。
【請求項１８】
前記第２の通信手段は前記交換レンズ装置から、
第３の通信にて、前記基準時間と前記相対時間の情報とに基づく情報を受信することを特徴とする請求項１２から１７のいずれか1項に記載の撮像装置。
【請求項１９】
前記第３の通信は、前記基準時間と前記相対時間の情報とによって決定されるタイミングよりも後に行われることを特徴とする請求項１８に記載の撮像装置。
【請求項２０】
前記基準時間と前記相対時間の情報とに基づく情報は、
前記基準時間と前記相対時間の情報とに基づくタイミングに対応して検出された振れ情報に基づく情報であることを特徴とする請求項１８または１９に記載の撮像装置。
【請求項２１】
画像の像振れを補正する像振れ補正手段および該像振れ補正手段を制御する制御手段を備え、前記基準時間と前記相対時間の情報とに基づく情報に基づいて前記像振れ補正手段を制御することを特徴とする請求項１８から２０のいずれか1項に記載の撮像装置。
【請求項２２】
前記画像の歪みを補正する補正手段および該補正手段を制御する制御手段を備えることを特徴とする請求項１２から２１のいずれか１項に記載の撮像装置。
【請求項２３】
前記第２の通信手段は前記交換レンズ装置に対し、前記相対時間を示す情報として先頭の補正タイミングを示す情報を送信することを特徴とする請求項２２に記載の撮像装置。
【請求項２４】
前記制御手段が、前記画像の歪みを複数の補正点で補正する制御を行う場合、前記第２の通信手段は前記交換レンズ装置に対し、前記第２の通信にて補正点間の差分時間の情報を送信することを特徴とする請求項２２又は２３に記載の撮像装置。
【請求項２５】
前記第２の通信手段は前記第２の通信にて、前記第１の通信の遅延時間を用いて補正した前記相対時間の情報を送信することを特徴とする請求項１２から２４のいずれか１項に記載の撮像装置。
【請求項２６】
撮像装置と該撮像装置に装着された交換レンズ装置を備える撮像システムであって、
前記交換レンズ装置は、
前記撮像装置と通信する第１の通信手段と、振れによる画像の像振れを補正する補正レンズと、前記補正レンズを制御する制御手段と、を備え、
前記撮像装置は、
撮像手段と、前記交換レンズ装置と通信する第２の通信手段と、前記撮像手段の露光タイミングを設定する設定手段と、を備え、
前記第２の通信手段は前記第１の通信手段に対し、
第１の通信にて、基準時間を示す情報を送信し、
第２の通信にて、前記露光タイミングと前記基準時間とに基づく相対時間を示す情報を送信し、
前記制御手段は、
前記基準時間および前記相対時間の情報により決定されるタイミングに基づいて前記補正レンズを制御することを特徴とする撮像システム。
【請求項２７】
撮像装置と通信する第１の通信手段と、
振れによる画像の像振れを補正する補正レンズと、を備える交換レンズ装置と、
撮像手段と、
前記交換レンズ装置と通信する第２の通信手段と、
撮像素子の露光タイミングを設定する設定手段と、を備える撮像装置とを備える撮像システムにて実行される制御方法であって、
基準時間を示す情報を前記第２の通信手段から前記第１の通信手段へ送信する第１の通信工程と、
前記露光タイミングを設定する設定工程と、
前記露光タイミングと前記基準時間とに基づく相対時間を示す情報を前記第２の通信手段から前記第１の通信手段へ送信する第２の通信工程と、
前記基準時間および前記相対時間の情報により決定されるタイミングに基づいて前記補正レンズを制御する制御工程と、を有することを特徴とする撮像システムの制御方法。
【手続補正２】
【補正対象書類名】明細書
【補正対象項目名】０００７
【補正方法】変更
【補正の内容】
【０００７】
本発明の一実施形態の撮像システムは、撮像装置と該撮像装置に装着された交換レンズ装置を備える。前記レンズ装置は、前記撮像装置と通信する第１の通信手段と、振れによる画像の像振れを補正する補正レンズと、前記補正レンズを制御する制御手段と、を備える。前記撮像装置部は、撮像手段と、前記交換レンズ装置と通信する第２の通信手段と、前記撮像手段の露光タイミングを設定する設定手段と、を備える。前記第２の通信手段は前記第１の通信手段に対し、第１の通信にて、基準時間を示す情報を送信し、第２の通信にて、前記露光タイミングと前記基準時間とに基づく相対時間を示す情報を送信し、前記制御手段は、前記基準時間および前記相対時間の情報により決定されるタイミングに基づいて前記補正レンズを制御することを特徴とする。